(57)【要約】【課題】  本発明は、簡略な構成で施工性が良く、高耐力を有しながら断面を小さくできる軸力負担柱、及び軸力負担柱の築造方法を提供する。【解決手段】  鋼管２に、トッププレート３、ベースプレート５及び連結鋼管７を設置して鋼管ユニット９を製造する。鋼管ユニット９を基礎梁１０ａ上に配置し、ベースプレート５を固定手段１８を介して固定する。鋼管２及び連結鋼管７の両者に硬化材８を充填した後、連結鋼管７を貫通しつつトッププレート３で支持するよう直上階の床スラブ１０ｂを構築する。直上階の床スラブ１０ｂ上に新たな鋼管ユニット９’を配置し、床スラブ１０ｂを貫通した連結鋼管７が、新たな鋼管ユニット９’のベースプレート５の挿通孔６に挿通するよう位置合わせを行った後、鋼管２及び連結鋼管７の両者に硬化材８を充填し、トッププレート３で支持するよう直上階の床スラブ１０ｂを構築する工程を繰り返す。【選択図】  図３
2005213940.tif 000002
【特許請求の範囲】
【請求項１】
構造物に作用する軸力のみを負担する軸力負担柱であって、
上端面を鋼板よりなるトッププレート、下端面を鋼板よりなるベースプレートに閉塞され、構造物を構成する水平部材間の内法高さに等しい部材長を有する鋼管と、
該鋼管と比較して断面径が小さく、前記トッププレートの上面で前記鋼管と同軸状に配置される連結鋼管と、
該連結鋼管及び前記鋼管の中空部に充填される硬化材を備えてなり、
前記トッププレートで直上に位置する前記水平部材を支持しつつ、該水平部材に前記連結鋼管を埋設もしくは貫通させるとともに、
前記ベースプレートを直下に位置する前記水平部材に固定手段を介して固定することを特徴とする軸力負担柱。
【請求項２】
請求項２に記載の軸力負担柱において、
前記ベースプレートの中央部に、前記連結鋼管が挿通可能な径を有する挿通孔が形成されることを特徴とする軸力負担柱。
【請求項３】
請求項１または２に記載の軸力負担柱において、
前記トッププレートの中央部に、前記鋼管と連結鋼管の中空部どうしを連通する連通孔を設けることを特徴とする軸力負担柱。
【請求項４】
鋼管の上端面及び下端面をトッププレート及びベースプレートで覆うように固着し、前記トッププレートの上面に連結鋼管を前記鋼管と同軸に位置するよう設置し、また、トッププレートの中央部に連結鋼管と鋼管を連通する連通孔、前記ベースプレートの中央部に連結鋼管を挿通可能な挿通孔を設けて鋼管ユニットを製造する第１の工程と、
該鋼管ユニットを構造物の基礎水平部材上に配置し、前記ベースプレートと基礎水平部材とを固定手段を介して固定する第２の工程と、
前記鋼管及び連結鋼管の両者に硬化材を充填した後、直上階を構成する水平部材を前記連結鋼管を貫通させつつ前記トッププレートで支持するように構築する第３の工程と、
該水平部材を貫通した前記連結鋼管が、新たな鋼管ユニットを構成するベースプレートの挿通孔に挿通するよう新たな鋼管ユニットを前記水平部材上に配置し、該水平部材と前記ベースプレートとを固定手段を介して固定する第４の工程よりなり、
この後、第３の工程と第４の工程を繰り返すことを特徴とする軸力負担柱の築造方法。
【発明の詳細な説明】
【技術分野】
【０００１】
本発明は、軸力負担柱、及び軸力負担柱の築造方法に関する。
【背景技術】
【０００２】
従来より、超高層集合住宅は、その商品性の向上のために住戸内の柱・梁などの耐震要素をできるだけ最小化することが求められており、超高層鉄筋コンクリート造の計画としては、中央にコアを配置して共用ゾーンを設けるとともに、共用ゾーンを取り囲むように構造物の外周部に面して居室ゾーンを配置する場合が多い。
しかし、このような構成の構造物は、スラブを受けることを目的として、居室ゾーン内にコアと外周部を連結する梁を設ける必要が生じることから、この梁が居住性の妨げとなっていた。
【０００３】
そこで、これらの課題に対応すべく、居室ゾーン内に間柱状に位置する軸力負担柱を設け、これで梁を支持する構成とすることにより梁を扁平とする、もしくは梁をスラブに内蔵させたフラットスラブを適用する等の構成が検討されている。
しかし、このような構成は、居室ゾーン内に軸力負担柱が位置することとなるから、その断面を小さくすることが求められる。
【０００４】
一般に、柱の断面を小さくするには、例えば特許文献１に示すように、曲げ剛性を考慮せず軸力のみを負担すれば良いよう、架構内に高剛性かつ高靱性の制震装置を備える等、耐震要素を集約した構造物の架構構造を構成すればよいことが知られている。
【特許文献１】特開２０００−０５４６７８号公報（第１図参照）
【発明の開示】
【発明が解決しようとする課題】
【０００５】
しかし、これら軸力のみを負担する断面の小さい軸力負担柱を構造物に採用するには、地震等が発生した際の軸力負担柱への曲げモーメントの発生を抑制できる構成が求められる。
【０００６】
上記事情に鑑み、本発明は、簡略な構成で施工性が良く、高耐力を有しながら断面を小さくできる軸力負担柱、及び軸力負担柱の築造方法を提供することを目的としている。
【課題を解決するための手段】
【０００７】
請求項１記載の軸力負担柱は、構造物に作用する軸力のみを負担する軸力負担柱であって、上端面を鋼板よりなるトッププレート、下端面を鋼板よりなるベースプレートに閉塞され、構造物を構成する水平部材間の内法高さに等しい部材長を有する鋼管と、該鋼管と比較して断面径が小さく、前記トッププレートの上面で前記鋼管と同軸状に配置される連結鋼管と、該連結鋼管及び前記鋼管の中空部に充填される硬化材を備えてなり、前記トッププレートで直上に位置する前記水平部材を支持しつつ、該水平部材に前記連結鋼管を埋設もしくは貫通させるとともに、前記ベースプレートを直下に位置する前記水平部材に固定手段を介して固定することを特徴としている。
【０００８】
請求項２記載の軸力負担柱は、前記ベースプレートの中央部に、前記連結鋼管が挿通可能な径を有する挿通孔が形成されることを特徴としている。
【０００９】
請求項３記載の軸力負担柱は、前記トッププレートの中央部に、前記鋼管と連結鋼管の中空部どうしを連通する連通孔を設けることを特徴としている。
【００１０】
請求項４記載の軸力負担柱の築造方法は、鋼管の上端面及び下端面をトッププレート及びベースプレートで覆うように固着し、前記トッププレートの上面に連結鋼管を前記鋼管と同軸に位置するよう設置し、また、トッププレートの中央部に連結鋼管と鋼管を連通する連通孔、前記ベースプレートの中央部に連結鋼管を挿通可能な挿通孔を設けて鋼管ユニットを製造する第１の工程と、該鋼管ユニットを構造物の基礎水平部材上に配置し、前記ベースプレートと基礎水平部材とを固定手段を介して固定する第２の工程と、前記鋼管及び連結鋼管の両者に硬化材を充填した後、直上階を構成する水平部材を前記連結鋼管を貫通させつつ前記トッププレートで支持するように構築する第３の工程と、該水平部材を貫通した前記連結鋼管が、新たな鋼管ユニットを構成するベースプレートの挿通孔に挿通するよう新たな鋼管ユニットを前記水平部材上に配置し、該水平部材と前記ベースプレートとを固定手段を介して固定する第４の工程よりなり、この後、第３の工程と第４の工程を繰り返すことを特徴としている。
【発明の効果】
【００１１】
請求項１に記載の軸力負担柱によれば、コンクリート等の硬化材を鋼管で拘束したいわゆるコンクリート充填鋼管造に構成されるから、高い曲げ及びせん断耐力や変形性能といったコンファインド効果を期待できるため、高耐力の柱と同様の軸方向の耐力を維持しながら断面径を大幅に縮小してスリム化を図ることができるだけでなく、過大な地震力が構造物に作用し曲げモーメントが発生した際にも破壊することがなく高い安全性を確保することができる。
【００１２】
これにより、例えば鉄筋コンクリート造の架構内に制震装置が備えられている構造物の外周部に、上述する軸力負担柱を間柱状に配置すれば、構造物に作用する地震力を鉄筋コンクリート造の架構及び制震装置で負担し、床スラブや鉛直荷を軸力負担柱で支持すればよいから、構造物の外周部に位置する柱の配置間隔を大きく取ることができるため、構造物に高い耐震性能を確保しながら、居室空間に開放性や快適性を確保することが可能となる。
【００１３】
また、構造物を構成する水平部材の内法高さと同様の部材長を有する前記鋼管の下面に備えられたベースプレートは、床スラブや梁、もしくは基礎水平部材等の水平部材に固定手段を介して固定され、また鋼管の上部に設置された連結鋼管は、直上階を構成する床スラブや梁等の水平部材の内方に埋設もしくは貫通することから、軸力負担柱はその上下に位置する水平部材と一体化しながら地震時の曲げモーメントの発生を抑制することが可能となる。
【００１４】
請求項２に記載の軸力負担柱によれば、前記ベースプレートの中央部に、前記連結鋼管が挿通できる径を有する挿通孔が形成されているから、水平部材を挟んで上下方向に連設する複数の軸力負担柱を、上方側の軸力負担柱のベースプレートの挿通孔に、水平部材を貫通された下方側の軸力負担柱に備えられた前記連結鋼管を挿通することで接合できる。
【００１５】
これにより、上下に連接する軸力負担柱は水平部材を挟んで配置されていても軸力をスムーズに伝達することが可能になる。
また、簡略な構成で上下方向に位置する軸力負担柱を接合できるだけでなく、位置合わせが容易で、施工性を大幅に向上することが可能となる。
【００１６】
請求項３に記載の軸力負担柱によれば、前記トッププレートの中央部に前記鋼管と連結鋼管の中空部どうしを連通する連通孔を設けるから、軸力負担柱の外郭となるベースプレート、鋼管、トッププレート及び連結鋼管をあらかじめ組み立てておくことにより、前記鋼管及び連結鋼管の両者に同時に硬化材を充填できるため、硬化材の充填に係る作業性を大幅に向上でき工期を大幅に短縮することが可能となる。
また、上述した軸力負担柱の外郭をあらかじめ工場等で溶接してプレキャスト部材として製造しておくことにより、現場作業は硬化材の充填のみとできるため、現場における溶接作業を省略でき高精度高品質の軸力負担柱を提供することが可能となる。
【００１７】
請求項４に記載の軸力負担柱の築造方法によれば、ベースプレート、鋼管、トッププレート及び連結鋼管よりなる鋼管ユニットを水平部材上に固定する工程と、該鋼管ユニット内に硬化材を打設し、軸力負担柱を築造した後、直上階を構成する床スラブ等の水平部材を前記軸力負担柱のトッププレートに支持させるようにして構築する工程と交互に実施すればよいため、その工程が簡略で作業性が良く、工費削減及び工期短縮に大きく寄与することが可能となる。
【発明を実施するための最良の形態】
【００１８】
本発明の軸力負担柱及び軸力負担柱の築造方法を、図１から図３に示す。本発明は、構造物の柱と柱の間に間柱状に配置して、構造物に作用する軸力のみ負担する軸力負担柱であって、硬化材の充填された鋼管を床スラブ等水平部材の内法高さに等しい部材長に形成するとともに、その下端面にベースプレート、上端面に連結鋼管を備えたトッププレート設置し、ベースプレート及び連結鋼管を鋼管の上下に位置する床スラブ等の水平部材に固定して構造物と一体化することにより、軸力負担柱の径を細く構成した場合にも曲げモーメントの発生を抑制することができるものである。
【００１９】
図１に示すように、該軸力負担柱１は、鋼管２、トッププレート３、ベースプレート５、連結鋼管７及び該連結鋼管７と鋼管２の中空部に充填される硬化材８により構成されている。
前記鋼管２は、部材長が構造物１１を構成する水平部材１０の内法高さとなるように成形されており、本実施の形態では、構造物１１を構成する水平部材１０の中でも基礎水平部材１０ａと床スラブ１０ｂの内法高さと同様の部材長に形成されている。
【００２０】
前記ベースプレート５は、鋼管２の断面径と比較して大きい面積を有する鋼板より成形されており、該鋼管２の下端面を塞ぐようにして溶接等の固着手段を介して固着されている。また、前記トッププレート３もベースプレート５と同様で、鋼管２の断面径と比較して大きい面積を有する鋼板より成形されており、該鋼管２の上端面を塞ぐようにして固着手段を介して固着されている。
【００２１】
また、トッププレート３の上面には、前記鋼管２と比較して断面径の小さい連結鋼管７が鋼管２と同軸状に位置するように固着手段を介して固着されており、該連結鋼管７及び鋼管２の中空部に硬化材８が充填されて軸力負担柱１を構成している。
本実施の形態において、硬化材８にはコンクリートを用いているが、必ずしもこれにこだわるものではない。また、前記鋼管２の部材長についても、例えば梁どうしや床スラブどうし等、軸力負担柱１を挟むように上下に位置する水平部材１０の内法高さと同等の部材長に成形されば、何れの構成でも良い。
【００２２】
上述する軸力負担柱１は、上下に位置する床スラブ１０ｂ及び基礎水平部材１０ａに対して、前記トッププレート３で床スラブ１０ｂを支持しつつ前記連結鋼管７が床スラブ１０ｂを貫通するように設置されることで、また前記ベースプレート５が基礎水平部材１０ａにアンカー部材等の固定手段１８を介して固定されることで一体的に固定されている。
【００２３】
なお、前記連結鋼管７を床スラブ１０ｂに貫通させる構成は、図１に示すように、床スラブ１０ｂを挟んで上下方向に軸力負担柱１を連接する際に用いるものである。
つまり、前記ベースプレート５の中央部に、前記連結鋼管７の外径と同様の断面を有し連結鋼管７を挿通できる挿通孔６を形成しておき、床スラブ１０ｂの上方側に位置する軸力負担柱１’を構成するベースプレート５の挿通孔６に、床スラブ１０ｂの下方側に位置する軸力負担柱１に備えられ床スラブ１０ｂを貫通して突出している連結鋼管７を挿通して、該連結鋼管７を上方側に位置する軸力負担柱１の鋼管２内に収め、鋼管２の中空部を充填している硬化材８に埋設することで、上下方向に連接されている軸力負担柱１を接合している。
【００２４】
したがって、例えば、構造物１１の最上階に位置する軸力負担柱１は、必ずしも直上に位置する床スラブ１０ｂに連結鋼管７を貫通させる必要はなく、床スラブ１０ｂの内方に埋設すればよい。
また、上方側に位置する軸力負担柱１’は、下方側に位置する軸力負担柱１に備えられ床スラブ１０ｂを貫通して突出している連結鋼管７と、これを前記鋼管２内で埋設する硬化材８が固定手段１８となって、前記ベースプレート５が床スラブ１０ｂに固定されることとなる。
【００２５】
このような構成の該軸力負担柱１は、いわゆるコンクリート充填鋼管造に形成されたものであり、鋼管２で硬化材８を拘束する構成を有しているため硬化材８の強度が実質的に上昇し、高い耐力と変形性能、いわゆるコンファインド効果を得ることができる構成として一般に知られている。したがって、コンクリート充填鋼管造に形成した軸力負担柱１は、例えば同等の軸力を負担できる鉄筋コンクリート造の柱と比較すると、その断面径を大幅に縮小することができるものである。
なお、該軸力負担柱１は、断面径を小さく構成した場合においても上下に位置する水平部材１０と一体的に固定されているため、地震時の曲げモーメントの発生を小さくできるものである。
【００２６】
上述する構成の軸力負担柱１を構造物１１に適用した場合の事例を図２を参照しながら以下に示す。
なお、この構造物１１は、該軸力負担柱１を間柱状に配置して軸力のみを負担させる構成としており、構造物１１の架構１４を構成する柱１２と比較して同等の軸耐力を有しながらその断面径を大幅に小さく形成している。
【００２７】
図２に示すように、構造物１１は、柱１２及びこれら隣り合う柱１２に架け渡される梁１３により構成される鉄筋コンクリート造の架構１４を有しており、構造物１１の外周部で隣り合う柱１２の間には、間柱状に軸力負担柱１が配置されている。
構造物１１の中央部近傍には、エレベータ室や階段室およびその周辺の設備スペース等のコア機能をまとめた共用ゾーン１５を配置しており、この共用ゾーン１５を取り囲む位置の架構１４には、複数の柱１２を密に配置している。該柱１２は、構造物１１に地震力が作用した際にも高い耐力を有する高耐力柱により構成されており、地震等が発生すると構造物１１が受ける地震力を負担しながら全体的にしなるように水平方向に曲げ変形するものである。
【００２８】
また、共用ゾーン１５を取り囲む位置の架構１４のｙ方向に隣り合う柱１２は、制震装置１７により連結されている。本実施の形態では、大容量の鋼板壁よりなる鋼材ダンパーを用いており、先にも述べたように、地震が発生した際に全体的にしなるように水平方向に曲げ変形する柱１２の、その曲げ変形による構造物１１の揺れを、前記制震装置１７が先行して降伏変形することで吸収する構成となっている。このような構成により、構造物１１は、高い耐震性能を確保している。
【００２９】
なお、本実施の形態において、制震装置１７に鋼板壁により構成される鋼材ダンパーを適用したが、必ずしもこれにこだわるものではなく、高い制震性能を有する構成であれば何れの制震装置を適用しても良い。
【００３０】
したがって、構造物１１は、構造物１１に作用する地震力を構造物１１の鉄筋コンクリート造の架構１４及び制震装置１７で負担できる構成となっている。このため、間柱状に配置されている軸力負担柱１は、床スラブ１０ｂ等の水平部材１０やその他構造物１１の鉛直荷重を支持するのみで良く、前記柱１２と同等の軸耐力を有しながら、その断面径を大幅に縮小できるものである。
【００３１】
このような構成の構造物１１は、断面径が小さいものの柱１２と同等の軸耐力を有する軸力負担柱１を外周部に配置することにより、外周部に配置する柱１２の配置間隔を大きくとる構成とできるため、前記居室ゾーン１６に開放性を持たせることができるものである。
【００３２】
また、図２に示すように、居室ゾーン１６内においても間柱状に軸力負担柱１を配置することにより、床スラブ１０ｂを支持することを目的に用いる梁１３ａを扁平にすることや、床スラブ１０ｂに梁１３ａを内蔵したフラットスラブを適用することもできることから、居室内に梁型が出ることがなく快適性を確保できる。
【００３３】
このように、共用ゾーン１５が形成されている構造物１１の中央部に制震装置１７及び高耐力の柱１２等の耐震要素を集約し、構造物１１の外周部やその近傍等、居室ゾーン１６が形成されている領域に軸力負担柱１を間柱状に配置することで、構造物１１の居室ゾーン１６に対して、開放的で快適な居住空間と梁１３ａの位置に左右されない自由なプランニングを提供することができるものである。
【００３４】
上述する構成の軸力負担柱１の築造方法を図３を参照して以下に示す。
【００３５】
（第１の工程）
図３（ａ）に示すように、鋼管２の上端面をトッププレート３で、下端面を挿通孔６を備えたベースプレート５で覆うように固着し、前記トッププレート３の上面に連結鋼管７を鋼管２と同軸状に位置するよう設置して、鋼管ユニット９を製造する。
【００３６】
これらの作業はあらかじめ工場等で実施しておき、鋼管ユニット９を現場に搬送する手順とすればよい。また、前記トッププレート３には、連結鋼管７と鋼管２とを連通する連通孔４をあらかじめ設けておく。これは、後に硬化材８を充填する際に、連結鋼管７と鋼管２の中空部に同時作業で充填できるよう配慮したものである。
【００３７】
（第２の工程）
図３（ｂ）に示すように、該鋼管ユニット９を前記基礎水平部材１０ａ上に配置し、該基礎水平部材１０ａと鋼管ユニット９を構成するベースプレート５とをアンカーボルト等の固定手段１８を介して固定する。
なお、固定手段１８にアンカーボルトを用いる構成は基礎水平部材１０ａにベースプレート５を固定する場合のみであり、軸力負担柱１が上下方向に連続する際には、上方側に位置する軸力負担柱１’のベースプレート５は、先にも述べたように、下方側に位置する軸力負担柱１に備えられ床スラブ１０ｂを貫通して突出している連結鋼管７と、これを前記鋼管２内で埋設する硬化材８が固定手段１８となって床スラブ１０ｂに固定される。
【００３８】
（第３の工程）
図３（ｃ）に示すように、前記鋼管２及び連結鋼管７の両者に硬化材８を充填して軸力負担柱１を築造する。この後、図３（ｄ）に示すように、前記連結鋼管７に貫通されつつ前記トッププレート３で支持されるように直上階の床スラブ１０ｂを構築する。
【００３９】
（第４の工程）
図３（ｄ）に示すように、該床スラブ１０ｂを貫通した前記連結鋼管７が、新たな鋼管ユニット９’のベースプレート５の挿通孔６に挿通するよう位置合わせを行った後、該床スラブ１０ｂ上に新たな鋼管ユニット９’を配置する。
【００４０】
この後、新たな鋼管ユニット９’の鋼管２及び連結鋼管７の両者に硬化材８を充填することで、連結鋼管７及び硬化材８が固定手段１８となって、新たな鋼管ユニット９’を構成するベースプレート５は床スラブ１０ｂに固定され、図１に示すように、新たな軸力負担柱１’が築造される。また、下方に位置する軸力負担柱１の連結鋼管７が新たな軸力負担柱１’の硬化材８に埋設されることで、床スラブ１０ｂを挟んで上下に位置する軸力負担柱１及び新たな軸力負担柱１’は接合されることとなる。
【００４１】
このように、構造物１１に必要な階数に達するまで第３の工程と第４の工程を繰り返すことにより、構造物１１の各階層に軸力負担柱１を築造するものである。
【００４２】
上述する構成によれば、軸力負担柱１は、コンクリート等の硬化材８を鋼管２で拘束したいわゆるコンクリート充填鋼管造に構成されるから、高い曲げ及びせん断耐力や変形性能といったコンファインド効果を期待できるため、鉄筋コンクリート造の高耐力の柱と比較して、同様の軸方向の耐力を維持しながら断面径を大幅に縮小してスリム化を図ることができるだけでなく、過大な地震力が構造物に作用し曲げモーメントが発生した際にも破壊することがなく高い安全性を確保することができる。
【００４３】
これにより、例えば、図２で例示したような鉄筋コンクリート造の架構１４内に制震装置１７が備えられている構造物１１の外周部に、上述する軸力負担柱１を間柱状に配置すれば、構造物１１に作用する地震力を鉄筋コンクリート造の架構１４及び制震装置１７で負担し、床スラブ１０ｂや鉛直荷を軸力負担柱１で支持すればよいから、構造物１１の外周部に位置する柱１２の配置間隔を大きく取ることができるため、構造物１１に高い耐震性能を確保しながら、居室空間に開放性や快適性を確保することが可能となる。
【００４４】
また、構造物１１を構成する水平部材１０の内法高さと同様の部材長を有する前記鋼管２の下面に備えられたベースプレート５は、床スラブ１０ｂや梁、もしくは基礎水平部材１０ａ等の水平部材１０に固定手段を介して固定され、また鋼管２の上部に設置された連結鋼管７は、直上階を構成する床スラブ１０ｂや梁等の水平部材１０の内方に埋設もしくは貫通することから、軸力負担柱１はその上下に位置する水平部材１０と一体化しながら地震時の曲げモーメントの発生を抑制することが可能となる。
【００４５】
さらに、前記ベースプレート５の中央部に、前記連結鋼管７が挿通できる径を有する挿通孔６が形成されているから、水平部材１０を挟んで上下方向に連設する複数の軸力負担柱１、１’を、上方側の軸力負担柱１’のベースプレートの挿通孔６に、水平部材１０を貫通された下方側の軸力負担柱１に備えられた前記連結鋼管７を挿通することで接合できる。
【００４６】
これにより、上下に連接する軸力負担柱１、１’は水平部材１０を挟んで配置されていても軸力をスムーズに伝達することが可能になる。
また、簡略な構成で上下方向に位置する軸力負担柱１、１’を接合できるだけでなく、位置合わせが容易で、施工性を大幅に向上することが可能となる。
【００４７】
また、前記トッププレート３の中央部に前記鋼管２と連結鋼管７の中空部どうしを連通する連通孔４を設けることにより、軸力負担柱１の外郭となるベースプレート５、鋼管２、トッププレート３及び連結鋼管７をあらかじめ組み立てておくことで、前記鋼管２及び連結鋼管７の両者に同時に硬化材８を充填できるため、硬化材８の充填に係る作業性を大幅に向上でき工期を大幅に短縮することが可能となる。
上述した軸力負担柱１の外郭をあらかじめ工場等で溶接してプレキャスト部材として製造しておくことにより、現場作業は硬化材８の充填のみとできるため、現場における溶接作業を省略でき高精度高品質の軸力負担柱を提供することが可能となる。
【００４８】
軸力負担柱１の築造方法によれば、ベースプレート５、鋼管２、トッププレート３及び連結鋼管７よりなる鋼管ユニット９を水平部材１０上に固定する工程と、該鋼管ユニット９内にコンクリート等の硬化材８を打設し、軸力負担柱１を築造した後、直上階を構成する床スラブ１０ｂ等の水平部材１０を前記軸力負担柱１のトッププレート３に支持させるようにして構築する工程と交互に実施すればよいため、その工程が簡略で作業性が良く、工費削減及び工期短縮に大きく寄与することが可能となる。
【図面の簡単な説明】
【００４９】
【図１】本発明に係る軸力負担柱の詳細を示す図である。
【図２】本発明に係る軸力負担柱を用いた構造物の事例を示す図である。
【図３】本発明に係る軸力負担柱の構築方法を示す図である。
【符号の説明】
【００５０】
１  軸力負担柱
１’軸力負担柱
２  鋼管
３  トッププレート
４  連通孔
５  ベースプレート
６  挿通孔
７  連結鋼管
８  硬化材
９  鋼管ユニット
９’鋼管ユニット
１０  水平部材
１１  構造物
１２  柱
１３  梁
１４  架構
１５  共用ゾーン
１６  居室ゾーン
１７  制震装置
１８  固定手段
【図１】
2005213940.tif 000003
【図２】
2005213940.tif 000004
【図３】
2005213940.tif 000005